(57)【要約】【課題】  物流時等の衝撃による原稿台ガラスの破損を防止した画像読取装置を提供する。【解決手段】  原稿を載せる原稿台ガラス６と、該原稿台ガラス６を挟んで原稿に対向して配置され、該原稿台ガラス６に載置された原稿の画像を読み取るイメージセンサ部７と、該原稿台ガラス６の外周縁部６ｂを支持する筐体３と、を有する画像読取装置２において、該原稿台ガラス６の外周縁部６ｂ以外を支持する支持部材９を有し、該支持部材９は、筐体３に当接する当接部95ａを備え、該当接部95ａが筐体３に当接した状態で原稿台ガラス６を支持可能であることを特徴とする。【選択図】      図１
2013066169.tif 000002
【特許請求の範囲】
【請求項１】
原稿を載せる載置部材と、前記載置部材を挟んで前記原稿に対向して配置され、前記載置部材に載置された前記原稿の画像を読み取る読取部と、前記載置部材の外周縁部を支持する筐体と、を有する画像読取装置において、
前記載置部材の外周縁部以外を支持する支持部材を有し、前記支持部材は、前記筐体に当接する当接部を備え、前記当接部が前記筐体に当接した状態で前記載置部材を支持可能であることを特徴とする画像読取装置。
【請求項２】
前記読取部は前記筐体に支持されるために前記筐体に当接する当接部を備え、前記読取部の当接部と前記支持部材の当接部とは異なることを特徴とする請求項１に記載の画像読取装置。
【請求項３】
前記支持部材は、前記載置部材を支持可能な支持位置と、前記支持位置よりも前記載置部材から退避した退避位置と、に移動可能に設けられたことを特徴とする請求項１または請求項２に記載の画像読取装置。
【請求項４】
前記読取部は移動しながら前記原稿の画像を読み取り、前記支持部材が前記支持位置にあるとき、前記支持部材は前記読取部の移動を規制し、前記支持部材が前記退避位置にあるとき、前記読取部の移動を規制しないことを特徴とする請求項３に記載の画像読取装置。
【請求項５】
前記読取部の移動を規制する規制位置と規制を解除した規制解除位置とに移動可能な規制部材を有し、前記規制部材は、前記支持部材が前記支持位置から前記退避位置へ移動するのに連動して前記規制位置から前記規制解除位置へ移動することを特徴とする請求項３または請求項４に記載の画像読取装置。
【請求項６】
前記支持部材と前記規制部材は一体的に移動することを特徴とする請求項５に記載の画像読取装置。
【請求項７】
前記載置部材の前記原稿を載置する載置面に平行な方向に関して、前記読取部の移動に連動して前記支持部材が移動することを特徴とする請求項１または請求項２に記載の画像読取装置。
【請求項８】
前記載置面の法線方向に関して、前記支持部材は前記読取部に対し移動可能であることを特徴とする請求項７に記載の画像読取装置。
【請求項９】
前記載置部材が撓んでない状態で、前記支持部材と前記載置部材とが離間していることを特徴とする請求項７または請求項８に記載の画像読取装置。
【請求項１０】
前記載置部材が撓んでない状態で、前記支持部材と前記筐体とが離間していることを特徴とする請求項７〜９のいずれか１項に記載の画像読取装置。
【請求項１１】
前記支持部材が前記載置部材を支持した状態で、前記読取部と前記載置部材とが離間していることを特徴とする請求項１〜１０のいずれか１項に記載の画像読取装置。
【請求項１２】
前記支持部材は屈曲自在な屈曲部を備え、前記屈曲部の一端が前記読取部に連結され、前記屈曲部の他端が前記筐体に連結され、前記屈曲部は、前記読取部の移動に連動して屈曲することを特徴とする請求項７に記載の画像読取装置。
【請求項１３】
前記屈曲部は、前記読取部に接続された信号線束であることを特徴とする請求項１２に記載の画像読取装置。
【請求項１４】
前記支持部材は、前記読取部の移動方向へ回転移動可能な回転体であることを特徴とする請求項６または請求項７に記載の画像読取装置。
【請求項１５】
前記支持部材が前記退避位置から前記支持位置へ移動する際、前記支持部材の前記載置部材に当接する部分は、前記載置部材の前記原稿を載置する載置面の法線方向に移動することを特徴とする請求項３に記載の画像読取装置。
【請求項１６】
前記支持部材が前記支持位置にあるときに、装置の電源を入れると、前記支持部材が前記退避位置へ移動することを特徴とする請求項３に記載の画像読取装置。
【請求項１７】
装置本体に装着された装置を保護する保護部材が装置本体から取り外されたことに連動して前記支持部材が、前記支持位置から前記退避位置へ移動することを特徴とする請求項３に記載の画像読取装置。
【請求項１８】
前記支持部材は前記載置部材の中央部を支持することを特徴とする請求項１〜１７のいずれか１項に記載の画像読取装置。
【請求項１９】
前記支持部材の前記載置部材に当接する部分は弾性部であることを特徴とする請求項１〜１８のいずれか１項に記載の画像読取装置。
【請求項２０】
請求項１〜１９のいずれか１項に記載の画像読取装置と、前記画像読取装置により読み取った原稿の画像に関する情報に基づいて記録材に画像を形成する画像形成手段と、を有することを特徴とする画像形成装置。
【発明の詳細な説明】
【技術分野】
【０００１】
本発明は、画像読取装置及びこれを備えた画像形成装置に関するものである。
【背景技術】
【０００２】
図40を用いて従来の画像読取装置の構成について説明する。図40において、101はレーザービームプリンタ等の画像形成装置である。102は画像形成装置101の上方に配置される画像読取装置であり、これらは複合機として用いられる。画像読取装置102は、原稿を載置するための原稿台ガラス106と、該原稿台ガラス106を支持する筐体103とを有する。更に、該原稿台ガラス106に対して原稿を倣わせるための圧板105を有した蓋104と、筐体103内を移動自在な読取部としてのイメージセンサ部107とを有する。イメージセンサ部107を駆動する図示しない駆動手段によって、イメージセンサ部107を走査させて原稿画像を読み取る。
【０００３】
108はイメージセンサ部107に接続された信号線束108である。イメージセンサ部107の移動を妨げないように該イメージセンサ部107の移動方向となる図40の矢印ｅ方向に平行に湾曲しながら該イメージセンサ部107の移動に追従して移動可能に設けられている。画像読取装置102においては原稿台ガラス106に対してイメージセンサ部107が図40の実線で示すホームポジション位置から破線で示す読取位置まで移動する。信号線束108は原稿台ガラス106の下面に接触しつつも、イメージセンサ部107の動作を妨げることが無いように配置されている。
【０００４】
一方、原稿台ガラスの裏面側を清掃するための接触型清掃部を有したゴミ除去部材を原稿台ガラスの裏面側を走行可能に設けられたキャリッジに搭載したものが特許文献１に記載されている。
【先行技術文献】
【特許文献】
【０００５】
【特許文献１】特開２０１０−０３４７８７号公報
【発明の概要】
【発明が解決しようとする課題】
【０００６】
原稿台ガラス106は、その外周縁が筐体103に支持されている。原稿台ガラス106とイメージセンサ部107とは近接して配置されている。画像読取装置102を移送する際に図40の矢印Ｆ方向に落下衝撃による力を受けると原稿台ガラス106は撓む。このとき、イメージセンサ部107以外では原稿台ガラス106の下面を支えることが出来ない。よって、原稿台ガラス106またはイメージセンサ部107またはその両者の破損が懸念される。そのため、梱包材を厚くし衝撃吸収性能を向上させたり、原稿台ガラス106の強度アップのため、ガラス自体の厚みを増すといった対応がとられていた。
【０００７】
その結果、画像読取装置102及び該画像読取装置102を有する画像形成装置101を小型軽量化することが出来ないという問題があった。また梱包体積が大きくなり、物流時のコストが高くなるという問題があった。
【０００８】
また、特許文献１の接触型清掃部は、原稿台ガラス106の裏面に接触可能だが、落下衝撃による力を受けた原稿台ガラス106を十分に支持し得る構造ではなかった。
【０００９】
上記課題に鑑みて本発明の目的は、物流時等の衝撃による原稿台ガラスの破損を防止した画像読取装置を提供することである。
【課題を解決するための手段】
【００１０】
上記目的を達成するために本発明に係る画像読取装置の代表的な構成は、原稿を載せる載置部材と、前記載置部材を挟んで前記原稿に対向して配置され、前記載置部材に載置された前記原稿の画像を読み取る読取部と、前記載置部材の外周縁部を支持する筐体と、を有する画像読取装置において、前記載置部材の外周縁部以外を支持する支持部材を有し、前記支持部材は、前記筐体に当接する当接部を備え、前記当接部が前記筐体に当接した状態で前記載置部材を支持可能であることを特徴とする。
【発明の効果】
【００１１】
上記構成によれば、物流時等に衝撃を受けた際に、支持手段により原稿台ガラスを読取部側から支えることで衝撃を吸収し、原稿台ガラスの破損を防止することが出来る。
【図面の簡単な説明】
【００１２】
【図１】本発明に係る画像読取装置の第１実施形態を備えた画像形成装置の構成を示す斜視説明図である。
【図２】第１実施形態の画像読取装置の構成を示す平面説明図である。
【図３】第１実施形態の画像読取装置の支持手段が原稿台ガラスを下方から支持する支持位置に設定された様子を示す図２のＡ−Ａ矢視断面図である。
【図４】第１実施形態の画像読取装置の支持手段の構成を示す拡大斜視図である。
【図５】（ａ）は図３の部分拡大図、（ｂ）は第１実施形態の画像読取装置の支持手段が原稿台ガラスから退避した退避位置に設定された様子を示す図２のＡ−Ａ矢視断面図の部分拡大図である。
【図６】本発明に係る画像読取装置の第２実施形態の構成を示す平面説明図である。
【図７】本発明に係る画像読取装置の第３実施形態を備えた画像形成装置の構成を示す斜視説明図である。
【図８】第３実施形態の画像読取装置の支持手段が原稿台ガラスを下方から支持する支持位置に設定された様子を示す断面説明図である。
【図９】第３実施形態の画像読取装置の支持手段の構成を示す拡大斜視図である。
【図１０】図８の部分拡大図である。
【図１１】本発明に係る画像読取装置の第４実施形態の構成を示す斜視説明図である。
【図１２】第４実施形態の画像読取装置の構成を示す平面説明図である。
【図１３】（ａ）は第４実施形態の画像読取装置の支持手段が原稿台ガラスを下方から支持する支持位置に設定された様子を示す図12のＢ−Ｂ矢視断面図である。（ｂ）は第４実施形態の画像読取装置の支持手段が原稿台ガラスから退避した退避位置に設定された様子を示す図12のＢ−Ｂ矢視断面図である。
【図１４】（ａ）は図13（ａ）の部分拡大図、（ｂ）は図13（ｂ）の部分拡大図である。
【図１５】本発明に係る画像読取装置の第５実施形態の構成を示す斜視説明図である。
【図１６】第５実施形態の画像読取装置の構成を示す平面説明図である。
【図１７】（ａ）は第５実施形態の画像読取装置の支持手段が原稿台ガラスを下方から支持する支持位置に設定された様子を示す図16のＣ−Ｃ矢視断面図である。（ｂ）は第５実施形態の画像読取装置の支持手段が原稿台ガラスから退避した退避位置に設定された様子を示す図16のＣ−Ｃ矢視断面図である。
【図１８】図17（ａ）の部分拡大図である。
【図１９】本発明に係る画像読取装置の第６実施形態を備えた画像形成装置の構成を示す斜視説明図である。
【図２０】第６実施形態の画像読取装置の構成を示す平面説明図である。
【図２１】図20のＤ−Ｄ矢視断面図である。
【図２２】（ａ）は第６実施形態の画像読取装置の支持手段が原稿台ガラスを下方から支持する支持位置に設定された様子を示す図20のＥ−Ｅ矢視断面図である。（ｂ）は第６実施形態の画像読取装置の支持手段が原稿台ガラスから退避した退避位置に設定された様子を示す図20のＥ−Ｅ矢視断面図である。
【図２３】（ａ）は図22（ａ）の部分拡大図、（ｂ）は図22（ｂ）の部分拡大図である。
【図２４】（ａ）は図22（ａ）の部分拡大斜視図、（ｂ）は図22（ｂ）の部分拡大斜視図である。
【図２５】図22（ａ）の模式説明図である。
【図２６】本発明に係る画像読取装置の第７実施形態を備えた画像形成装置の構成を示す斜視説明図である。
【図２７】(ａ)は第７実施形態の画像読取装置の構成を示す平面説明図、（ｂ）は（ａ）のＧ−Ｇ矢視断面図、（ｃ）は第７実施形態の画像読取装置の支持手段が原稿台ガラスから退避した退避位置に設定された様子を示す（ａ）のＨ−Ｈ矢視断面図である。
【図２８】（ａ）は第７実施形態の画像読取装置の支持手段が原稿台ガラスを下方から支持する支持位置に設定された様子を示す図27（ａ）のＨ−Ｈ矢視断面図、（ｂ）は（ａ）の模式説明図である。
【図２９】第７実施形態の画像読取装置の支持手段の構成を示す拡大斜視図である。
【図３０】図28（ａ）の部分拡大図である。
【図３１】（ａ）は本発明に係る画像読取装置の第８実施形態を備えた画像形成装置の構成を示す斜視説明図、（ｂ）は第８実施形態の画像読取装置の構成を示す平面説明図である。
【図３２】（ａ）は図31（ｂ）のＪ−Ｊ矢視断面図、（ｂ）は（ａ）の部分拡大図である。
【図３３】（ａ）は本発明に係る画像読取装置の第９実施形態を備えた画像形成装置の構成を示す斜視説明図、（ｂ）は第９実施形態の画像読取装置の構成を示す平面説明図である。
【図３４】（ａ）は図33（ｂ）のＫ−Ｋ矢視断面図、（ｂ）は（ａ）の部分拡大図である。
【図３５】本発明に係る画像読取装置の第１０実施形態を備えた画像形成装置の構成を示す斜視説明図である。
【図３６】（ａ）は第１０実施形態の画像読取装置の構成を示す平面説明図、（ｂ）は（ａ）のＬ−Ｌ矢視断面図である。
【図３７】（ａ）は本発明に係る画像読取装置の第１１実施形態を備えた画像形成装置の構成を示す斜視説明図、（ｂ）は第１１実施形態の画像読取装置の構成を示す平面説明図である。
【図３８】本発明に係る画像読取装置の第１２実施形態を備えた画像形成装置の構成を示す斜視説明図である。
【図３９】（ａ）は第１２実施形態の画像読取装置の構成を示す平面説明図、（ｂ）は（ａ）のＭ−Ｍ矢視断面図である。
【図４０】（ａ）は従来の画像読取装置を備えた画像形成装置の構成を示す斜視説明図、（ｂ）は従来の画像読取装置の断面説明図である。
【発明を実施するための形態】
【００１３】
以下に図面を参照して、本発明に係る画像読取装置を備えた画像形成装置の実施形態について説明する。ただし、以下の実施形態に記載されている構成部品の寸法、材質、形状それらの相対配置などは、発明が適用される装置の構成や各種条件により適宜変更されるべきものであり、本発明の範囲を以下の実施形態に限定するものではない。
【００１４】
［第１実施形態］
図１〜図５を用いて本発明に係る画像読取装置を備えた画像形成装置の第１実施形態について説明する。
【００１５】
図１は画像読取装置２を画像形成装置１の上方に配置した場合の斜視図である。図２は画像読取装置のみの平面図である。図３は図２のＡ−Ａ矢視断面図である。図４は支持手段の主要部を拡大した斜視図である。図５は支持手段の主要部を拡大した断面図である。図１〜図５において、１は画像読取装置２により読み取った画像情報に基づいて図示しない紙等のシート状の記録材に画像を形成する画像形成手段を有する画像形成装置である。
【００１６】
２は画像読取装置である。６は図示しない本やシート状の原稿を載置するための載置部材としての原稿台ガラスである。３は原稿台ガラス６の外周縁部６ｂを支持する筐体である。４は蓋である。５は原稿台ガラス６上（原稿台ガラス上）に載置された原稿を該原稿台ガラス６の上面からなる載置面（原稿台ガラス面）に倣わせるための圧板である。７は原稿台ガラス６の下部で原稿台ガラス６に載置された原稿に対向し、筐体３内（筐体内）を該原稿台ガラス６に沿って移動可能に設けられた読取部としてのイメージセンサ部である。
【００１７】
具体的にはイメージセンサ部７の両端の当接部７ｅが筐体３に当接し移動可能に支持されている。イメージセンサ部７は不図示の発光素子、受光素子を備える。図１に示すように、原稿台ガラス６は光を透過する透過部材である。原稿台ガラス６上に載置された原稿（不図示）に対してイメージセンサ部７の発光素子から原稿台ガラス６を介して光を照射する。そして、該原稿からの反射光を原稿台ガラス６を介してイメージセンサ部７の受光素子で受光することで、イメージセンサ部７により原稿台ガラス６上に載置された図示しない原稿の画像を読み取る。
【００１８】
次にイメージセンサ部７による読取動作の概略を説明する。図１及び図２において、イメージセンサ部７は、図示しないモータ等の駆動手段によって移動可能に構成されている。画像読取装置２の移送時のホームポジション位置でもある図１及び図２に示す原稿台ガラス６の左端部位置から、原稿台ガラス６上に載置された原稿の大きさに応じた読取動作位置までを、図１及び図２の矢印ｅ方向に移動可能に構成されている。
【００１９】
図１〜図５において、９，10は原稿台ガラス６の筐体３により支持される部位となる外周縁部６ｂ以外（外周縁部以外）で該原稿台ガラス６の下面に当接して該原稿台ガラス６を下方側から支持する支持手段となる平板状の支持部材である。８はイメージセンサ部７に接続された信号線束である。
【００２０】
本実施形態の支持部材９，10は、筐体３の側面３ａに貫通して設けられた軸受け部31と、該筐体３の底面３ｂに設けられた軸受け部32とにより回転可能に保持された軸部95を有し、該軸部95と一体的に回動する。また、軸部95の一端部は筐体３の側面３ａを貫通して外部に突出しており、その突出部に回動操作用の摘み部91が設けられている。そして、摘み部91を回動することで、軸部95を中心に支持部材９，10が一体的に回動する。
【００２１】
これにより、支持部材９，10は、図５（ａ）に示す原稿台ガラス６を支持する支持位置と、図５（ｂ）に示す原稿台ガラス６から退避した退避位置とに移動可能に設けられている。支持部材９，10の軸部95の軸受け部31または軸受け部32と当接する部分は、筐体３によって支持される支持部材９，10の当接部95ａである。
【００２２】
図５（ｂ）に示すように、支持部材９，10の退避位置は、イメージセンサ部７の移動動作に干渉しない位置に設定されている。本実施形態では、支持部材９，10が軸部95を中心に回動する。そして、図５（ｂ）に示す原稿台ガラス６から退避した退避位置にある場合には、イメージセンサ部７の最下端部となる下面７ａが移動する軌跡30よりも下方の位置まで支持部材９，10が退避する。これにより、イメージセンサ部７の移動動作に支障が無い（移動を規制しない）ようになっている。これにより原稿台ガラス６を支持する支持部材９，10はイメージセンサ部７の移動軌跡外である軌跡30よりも下方の退避位置へ移動可能であるので、読み取り動作時に妨げになることがない。
【００２３】
支持部材９の一端部（図１〜図５の左端部）９ａは、該支持部材９の回動動作による移動に連動してイメージセンサ部７をホームポジション位置となる図１〜図５の左端部の所定位置に拘束する拘束手段を兼ねる。換言すれば、支持部材９の一端部９ａはイメージセンサ部７をホームポジション位置から移動すること規制する規制部材として機能する。
【００２４】
図４に示すように、支持部材10の先端部には弾性体10ａ（弾性部）が取り付けられている。該支持部材10が軸部95を中心に回動して図５（ａ）に示す原稿台ガラス６を支持する支持位置にある場合には該弾性体10ａが原稿台ガラス６の下面に当接して該原稿台ガラス６の中央部を支持する。支持部材10が原稿台ガラス６の中央部を支持することにより、支持部材10が原稿台ガラス６の下面から受ける力は、軸部95の当接部95ａから、比較的強度の高い筐体３の軸受け部31，32に伝わる。このため、装置移送時の振動や衝撃によって原稿台ガラス６が撓むことを規制して、原稿台ガラス６の破損を防ぐことができる。
【００２５】
ここで、イメージセンサ部７の上面７ｂと原稿台ガラス６の下面６ａとの間の離間距離をａ、支持部材10と原稿台ガラス６の下面６ａとの間の離間距離をｂとする。図５（ａ）に示すように、イメージセンサ部７の上面７ｂが原稿台ガラス６の下面６ａと離間距離ａで対向しているのに対して、支持部材10は、該離間距離ａよりも小さな離間距離ｂをもって原稿台ガラス６と対向している。弾性体１０ａが原稿台ガラス６の下面６ａに当接しているので、図５（ａ）では離間距離ｂ＝０の場合を示す。
【００２６】
図５（ａ）の円弧状の破線で示す原稿台ガラス６は、該原稿台ガラス６が破損しない限界形状の概略である。そのときの支持部材10が原稿台ガラス６に当接する位置（弾性体10ａの位置）における原稿台ガラス６の最大撓み量ｄを示す（以降では単に「最大撓み量ｄ」として説明する）。支持部材10と原稿台ガラス６との離間距離ｂを、該原稿台ガラス６の最大撓み量ｄよりも小さく設定すれば、原稿台ガラス６は破損前に支持部材10で支えられることになる。
【００２７】
よって、図５（ａ）に示す状態で画像読取装置２の移送を行えば、原稿台ガラス６を筐体３の内部側から支えた状態となり、移送時の振動や衝撃に対して原稿台ガラス６の内側への撓みが無くなり保持状態が良好である。つまり、イメージセンサ部７の非移動時である画像読取装置２の非動作時に、図５（ａ）に示すように支持部材10を支持位置にしておく。これにより、振動や衝撃による原稿台ガラス６の破損を防ぐことができる。
【００２８】
イメージセンサ部７と原稿台ガラス６との離間距離ａよりも、支持部材10と原稿台ガラス６との離間距離ｂが小さければ原稿台ガラス６が下方に撓んでも該原稿台ガラス６がイメージセンサ部７に接触する前に原稿台ガラス６が支持部材10に当接して支持される。これにより原稿台ガラス６が下方に撓んでも該原稿台ガラス６がイメージセンサ部７に接触しないためイメージセンサ部７も同時に保護出来る。
【００２９】
次に、原稿台ガラス６の支持と支持解除の方法について図４及び図５を用いて説明する。原稿台ガラス６の支持と支持解除の切り替えは、軸部95に一体的に固定され、筐体３の側面３ａから外部に露出した摘み部91を該軸部95を中心に回動する。そして、図４の実線及び図５（ａ）に示すように、支持部材９，10を起立させて原稿台ガラス６を支持する支持位置にするか、図４の破線及び図５（ｂ）に示すように、支持部材９，10を水平に倒して原稿台ガラス６から退避した退避位置にする。
【００３０】
支持部材10の先端部を弾性体10ａで構成すれば、図５（ａ）に示すように、原稿台ガラス６が下方に撓んで、該弾性体10ａと接する際に衝撃を吸収出来るので、原稿台ガラス６の保護が出来る。
【００３１】
次に、イメージセンサ部７の拘束と拘束解除の方法について図４及び図５を用いて説明する。イメージセンサ部７の拘束と拘束解除の切り替えは、軸部95に一体的に固定され、筐体３の側面３ａから外部に露出した摘み部91を該軸部95を中心に回動することにより行われる。
【００３２】
図４の実線及び図５（ａ）に示すように、支持部材９を起立させる。そしてイメージセンサ部７のホームポジション位置となる図４及び図５の左端部に位置しているイメージセンサ部７の側面７ｃに支持部材９の一端部９ａ（規制部材）を対面させてイメージセンサ部７を拘束する拘束位置（規制位置）にする。或いは、図４の破線及び図５（ｂ）に示すように、支持部材９を水平に倒してイメージセンサ部７の拘束（規制）を解除した解除位置（規制解除位置）にする。このとき、前述した支持部材９，10による原稿台ガラス６の支持と支持解除動作が同時に行なわれる。
【００３３】
これにより画像読取装置２の移送時には、原稿台ガラス６が支持部材９，10により支持され、且つ、イメージセンサ部７が支持部材９により拘束されて固定され、画像読取装置２の動作時には原稿台ガラス６とイメージセンサ部７が同時に解放されるように出来る。つまり、イメージセンサ部７の非移動時である画像読取装置２の非動作時に、図５（ａ）に示すように支持部材10を支持位置にしておくことにより、同時に支持部材９も拘束位置にある。このため、振動や衝撃によってイメージセンサ部７が所定位置（ホームポジション位置）から移動してしまうことを防ぐことができる。
【００３４】
尚、筐体３の側面３ａに設けられた軸受け部31と軸部95とは図示しないシール部材によって、摺動自在且つ隙間がない状態を保たれているため筐体３内に埃が入ることがなく、イメージセンサ部７による画像読み取りが良好に出来る。
【００３５】
支持部材９，10は、原稿台ガラス６の面積や厚みに応じて、該原稿台ガラス６の下面６ａに当接する当接面積や数量を適宜増やしても良い。例えば、支持部材９を軸部95の軸方向に更に延長したり、支持部材10の数を更に追加して、原稿台ガラス６の中心付近を支持することも可能である。
【００３６】
また、摘み部91を回動して支持部材９，10が図５（ａ）に示す支持位置と、図５（ｂ）に示す退避位置との間を移動する。その際に支持部材10が原稿台ガラス６の下面６ａと擦れることを回避したい場合がある。その場合には、支持部材10と原稿台ガラス６との離間距離ｂが、イメージセンサ部７と原稿台ガラス６との離間距離ａよりも小さい範囲で、該離間距離ｂが微小隙間を有するように設定すれば良い。
【００３７】
また、イメージセンサ部７は、例えば、ユーザが画像読取装置２の電源をＯＦＦするタイミングで、自動的にホームポジション位置となる図４及び図５の左端部に戻るシーケンスを施す。これにより、移送の際にはイメージセンサ部７をホームポジション位置に動かす手間が無く、支持部材９を原稿台ガラス６を支持する支持位置であってイメージセンサ部７を拘束する拘束位置に回動させるだけで済む。これによりユーザの利便性を増すことも可能である。
【００３８】
尚、上述した構成では、軸部95の剛性は十分高く、また支持部材10と軸受け部32と軸線方向で近い位置にあるので、支持部材10が原稿台ガラス６の下面から力を受けた際に、支持部材10を介してその力を受けた軸部95は実質的に撓まない。しかしながら、支持部材10が原稿台ガラス６の下面から力を受けた際には軸部95が下方に撓み、筐体３の底面３ｂに当接することで、筐体３へ力を伝える構成であっても良い。
【００３９】
このような構成の場合、軸部95の下面が支持部材９，10の当接部として機能する。そして、軸部95の下面と底面３ｂとの離間距離をｃとすると、ｂ＋ｃ＜ｄであれば、原稿台ガラス６は破損前に支持部材10を介して支えられることになる。また、ｂ＋ｃ＜ａであれば、原稿台ガラス６が下方に撓んでも該原稿台ガラス６がイメージセンサ部７に接触しないためイメージセンサ部７も同時に保護出来る。
【００４０】
また、イメージセンサ部７の当接部７ｅと、支持部材９の当接部95ａとは異なり、原稿台ガラス６から支持部材９に伝わった力は実質的にイメージセンサ部７には伝わらず、支持部材９の当接部95ａを介して筐体３に伝達されることになる。このため、イメージセンサ部７の破損も防ぐことができる。
【００４１】
［第２実施形態］
次に図６を用いて本発明に係る画像読取装置の第２実施形態について説明する。前記第１実施形態では、摘み部91を回動して支持部材９，10を図５（ａ）に示す支持位置に設定した状態で支持部材９の高さが支持部材10の高さよりも低くなるように構成した。本実施形態では、図６に示すように、支持部材９の一部に支持部材10と同じ高さとなる段部９ｂを設けたものである。段部９ｂの先端部には弾性体９ｃ（弾性部）が設けられている。尚、本実施形態の軸受け部32は支持部材９，10の間に設けられた一例である。他の構成は前記第１実施形態と同様に構成され、同様の効果を得ることが出来る。
【００４２】
また、本実施形態のように構成することで複数の支持点で同時に原稿台ガラス６の下面を受けるので、より強固に原稿台ガラス６を支持することができる。
【００４３】
［第３実施形態］
次に図７〜図10を用いて本発明に係る画像読取装置の第３実施形態を備えた画像形成装置の構成について説明する。本実施形態では、図７、図８、図９及び図10に示すように、前記第２実施形態の支持部材10を省略したものである。他の構成は前記第１、第２実施形態と同様に構成される。このような構成においても前記第１、２実施形態と同様な効果を得ることが出来る。
【００４４】
また、本実施形態のように構成することで、シンプルで簡易な構成で原稿台ガラス６を支持することができ、装置重量の増加や、コストアップを抑えつつ原稿台ガラス６の破損を防ぐことができる。
【００４５】
［第４実施形態］
次に図11〜図14を用いて本発明に係る画像読取装置の第４実施形態の構成について説明する。前記各実施形態では軸部95を中心に摘み部91を回動することで支持部材９，10を支持位置と退避位置とに回動する構成とした。本実施形態では、原稿台ガラス６の筐体３により支持される部位以外で該原稿台ガラス６の下面６ａに当接して該原稿台ガラス６を支持する支持手段となる支持部材14を筐体３内で昇降させる構成としたものである。
【００４６】
筐体３の底面３ｂの略中央部にはイメージセンサ部７の移動方向（図12の左右方向）に沿ってガイドレール33が設けられており、該ガイドレール33に係合しつつ図12の左右方向に移動可能なスライダ13が設けられている。
【００４７】
スライダ13は平面がＬ字形状で構成され、その一端部に設けられた角柱状の突出部13ｂが筐体３の側面３ｃに図13の左右方向に沿って形成された長穴36を貫通して外部に突出しており、その突出部13ｂにスライド操作用の摘み部35が設けられている。そして、摘み部35を長穴36に沿って図13の左右方向にスライドすることで該摘み部35と一体的にスライダ13がガイドレール33に係合しつつ図12及び図13の左右方向に移動する。支持部材14に対向するスライダ13の他端部には傾斜面13ａが設けられている。
【００４８】
一方、筐体３の底面３ｂ上でガイドレール33の延長線上には断面コ字形状で互いに対向する一対のガイド部材34が図13及び図14の上下方向に起立して設けられている。そしてガイド部材34のガイドレール34ａ内には支持部材14の一端部に設けられた断面Ｔ字形状の嵌合部14ａがガイドレール34ａに沿って昇降可能に嵌合されている。支持部材14の他端部にはスライダ13の傾斜面13ａに対応した傾斜面14ｂが設けられている。傾斜面14ｂの上方には原稿台ガラス６の下面６ａに当接して該原稿台ガラス６を支持する弾性体14ｄ（弾性部）が設けられている。
【００４９】
支持部材14の一端部に設けられた嵌合部14ａよりも更に先端部にはバネ支持部14ｃが設けられている。一方、筐体３の底面３ｂ上には断面Ｚ字形状の加圧金具16の下片16ｂがビス17により固定されており、加圧金具16の上片16ａと、支持部材14のバネ支持部14ｃとの間にコイル状の加圧バネ18が係止されている。加圧バネ18の弾性力により支持部材14は図14の下方向に常時付勢されている。
【００５０】
図13（ａ）及び図14（ａ）は、画像読取装置２を移送する際の各部品の位置関係を表す。支持部材14が上昇して原稿台ガラス６を支持する支持位置に設定されて該原稿台ガラス６は支持部材14の弾性体14ｄにより下面６ａが支持される。ホームポジション位置にあるイメージセンサ部７は支持部材14の嵌合部14ａの側面14a1が該イメージセンサ部７の側面７ｃに対面して拘束された状態にある。
【００５１】
図13（ｂ）及び図14（ｂ）は、画像読取装置２の読み取り動作時の各部品の位置関係を表し、支持部材14が下降して原稿台ガラス６から退避した退避位置に設定されて該原稿台ガラス６とイメージセンサ部７は支持及び拘束が解除された状態にある。
【００５２】
図13（ｂ）に示すように、支持部材14が下降して原稿台ガラス６から退避した退避位置にある状態では、スライダ13の傾斜面13ａに支持部材14の傾斜面14ｂが摺動可能に当接している。そして、スライダ13に連結された摘み部35を筐体３の側面３ｃの外部から長穴36に沿って図13の左方向にスライドすることで該摘み部35と一体的にスライダ13がガイドレール33に係合しつつ図13の左方向に移動する。
【００５３】
すると、支持部材14の傾斜面14ｂがスライダ13の傾斜面13ａに当接摺動しつつ支持部材14は加圧バネ18の付勢力に抗してガイド部材34に沿って上昇する。そして、図13（ａ）に示すように、支持部材14の下面14ｅがスライダ13の上面13ｃ上に載置され、支持部材14は原稿台ガラス６の下面６ａの中央部を支持する支持位置に設定される。このとき、支持部材14とスライダ13をまとめて原稿台ガラス６を支持可能な支持部材としてみることができ、このとき、スライダ13の下面13ｄは支持部材14とスライダ13とからなる支持部材が筐体３に当接して支持される当接面として機能する。
【００５４】
支持部材14は原稿台ガラス６の下面６ａとの間に所定の離間距離を持って移動可能に構成される。そして、図13（ａ）に示すように、支持部材14が上昇して原稿台ガラス６の下面６ａを支持する支持位置に設定される。
【００５５】
このように支持部材14がガイドレール34ａに沿って上昇する時、弾性体14ｄは原稿台ガラス６の下面６ａに、下面６ａの法線方向で当接する。このため、第１実施形態のように弾性体１０ａが下面６ａと略平行な方向で移動しながら当接するよりも、弾性体14ｄをスムーズに原稿台ガラス６の下面６ａに当接させることができ、使用者の負荷を低減することができる。
【００５６】
すると、図12、図13及び図14の左端部に位置しているイメージセンサ部７の側面７ｃにガイド部材34の上端部から突出した支持部材14の一端部に設けられた嵌合部14ａの側面14a1を対面させてイメージセンサ部７を拘束する。図12、図13及び図14の左端部はイメージセンサ部７のホームポジション位置となる。
【００５７】
支持部材14の一端部に設けられた嵌合部14ａが支持部材14の移動に連動してイメージセンサ部７をホームポジション位置に拘束する拘束手段を兼ねる。
【００５８】
スライダ13に連結された摘み部35を筐体３の側面３ｃの外部から長穴36に沿って図13の右方向にスライドすると、該摘み部35と一体的にスライダ13がガイドレール33に係合しつつ図13の右方向に移動する。すると、図14（ａ）に示す状態からスライダ13の上面13ｃが支持部材14の下面14ｅに摺動しつつ図14の右方向に移動する。
【００５９】
そして、スライダ13の傾斜面13ａと支持部材14の傾斜面14ｂとが当接摺動し、支持部材14の傾斜面14ｂがスライダ13の傾斜面13ａに当接摺動しつつ支持部材14は自重と加圧バネ18の付勢力によってガイド部材34に沿って下降する。そして、図14（ｂ）に示すように、支持部材14の一端部側に設けられた段部14ｆの下面14f1が筐体３の底面３ｂ上に当接して原稿台ガラス６から退避した退避位置に設定される。
【００６０】
支持部材14が下降して図13（ｂ）及び図14（ｂ）に示す原稿台ガラス６から退避した退避位置にある場合には、イメージセンサ部７の最下端部となる下面７ａが移動する軌跡30よりも下方の位置まで支持部材14が退避する。これによりイメージセンサ部７の移動動作に支障が無いようになっている。原稿台ガラス６を支持する支持部材14はイメージセンサ部７の移動軌跡外である軌跡30よりも下方の退避位置へ移動可能であるので、読み取り動作時に妨げになることがない。他の構成は前記各実施形態と同様に構成され、同様の効果を得ることが出来る。
【００６１】
また、本実施形態のように弾性体14ｄが原稿台ガラス６の下面６ａに、該下面６ａの法線方向（図14の上下方向）で当接する。これにより、前記第１実施形態と比べて弾性体14ｄをスムーズに原稿台ガラス６の下面６ａに当接させることができ、使用者の負荷を低減することができる。
【００６２】
［第５実施形態］
次に図15〜図18を用いて本発明に係る画像読取装置の第５実施形態の構成について説明する。前記第４実施形態では支持部材14の弾性体14ｄが原稿台ガラス６の下面６ａの略中央部の位置に配置される構成とした。本実施形態では、支持部材14の弾性体14ｄが原稿台ガラス６の下面６ａのイメージセンサ部７のホームポジション位置の近傍で且つ摘み部35が設けられる側面３ｃの近傍に配置される構成としたものである。
【００６３】
筐体３の底面３ｂで側面３ｃの近傍にはイメージセンサ部７の移動方向（図16の左右方向）に沿ってガイドレール33が設けられており、該ガイドレール33に係合しつつ図16の左右方向に移動可能な長尺状のスライダ13が設けられている。
【００６４】
スライダ13は平面がＬ字形状で構成され、その一端部に設けられた角柱状の突出部13ｂが筐体３の側面３ｃに図17の左右方向に沿って形成された長穴36を貫通して外部に突出しており、その突出部13ｂにスライド操作用の摘み部35が設けられている。そして、摘み部35を長穴36に沿って図17の左右方向にスライドすることで該摘み部35と一体的にスライダ13がガイドレール33に係合しつつ図16及び図17の左右方向に移動する。支持部材14に対向するスライダ13の他端部には傾斜面13ａが設けられている。
【００６５】
一方、筐体３の底面３ｂ上でガイドレール33の延長線上には断面Ｃ字形状のガイド部材34が起立して設けられている。そしてガイド部材34のガイドレール34ａ内には支持部材14の一端部に設けられた断面Ｔ字形状の嵌合部14ａがガイドレール34ａに沿って昇降可能に嵌合されている。支持部材14の他端部にはスライダ13の傾斜面13ａに対応した傾斜面14ｂが設けられている。傾斜面14ｂの上方には原稿台ガラス６の下面６ａに当接して該原稿台ガラス６を支持する弾性体14ｄが設けられている。
【００６６】
支持部材14の一端部に設けられた嵌合部14ａよりも更に先端部にはバネ支持部14ｃが設けられている。一方、筐体３の底面３ｂ上には断面Ｚ字形状の加圧金具16の下片16ｂがビス17により固定されており、加圧金具16の上片16ａと、支持部材14のバネ支持部14ｃとの間にコイル状の加圧バネ18が係止されている。加圧バネ18の弾性力により支持部材14は常時、図17（ｂ）の下方向に付勢されている。
【００６７】
図17（ａ）及び図18は、画像読取装置２を移送する際の各部品の位置関係を表す。支持部材14が上昇して原稿台ガラス６を支持する支持位置に設定されて該原稿台ガラス６は支持部材14の弾性体14ｄにより下面６ａが支持される。ホームポジション位置にあるイメージセンサ部７は支持部材14の嵌合部14ａの側面14a1が該イメージセンサ部７の側面７ｃに対面して拘束された状態にある。
【００６８】
図17（ｂ）は、画像読取装置２の読み取り動作時の各部品の位置関係を表し、支持部材14が下降して原稿台ガラス６から退避した退避位置に設定されて該原稿台ガラス６とイメージセンサ部７は支持及び拘束が解除された状態にある。
【００６９】
図17（ｂ）に示すように、支持部材14が下降して原稿台ガラス６から退避した退避位置にある状態では、スライダ13の傾斜面13ａに支持部材14の傾斜面14ｂが摺動可能に当接している。そして、スライダ13に連結された摘み部35を筐体３の側面３ｃの外部から長穴36に沿って図17の左方向にスライドすることで該摘み部35と一体的にスライダ13がガイドレール33に係合しつつ図17の左方向に移動する。
【００７０】
すると、支持部材14の傾斜面14ｂがスライダ13の傾斜面13ａに当接摺動しつつ支持部材14は加圧バネ18の付勢力に抗してガイド部材34に沿って上昇する。そして、図17（ａ）及び図18に示すように、支持部材14の下面14ｅがスライダ13の上面13ｃ上に載置され、原稿台ガラス６の下面６ａを支持する支持位置に設定される。
【００７１】
支持部材14は原稿台ガラス６の下面６ａとの間に所定の離間距離を持って移動可能に構成される。そして、図17（ａ）及び図18に示すように、支持部材14が上昇して原稿台ガラス６の下面６ａを支持する支持位置に設定される。
【００７２】
すると、図17及び図18の左端部に位置しているイメージセンサ部７の側面７ｃにガイド部材34の上端部から突出した支持部材14の一端部に設けられた嵌合部14ａの側面14a1を対面させてイメージセンサ部７を拘束する。図17及び図18の左端部はイメージセンサ部７のホームポジション位置となる。
【００７３】
支持部材14の一端部に設けられた嵌合部14ａが支持部材14の移動に連動してイメージセンサ部７をホームポジション位置に拘束する拘束手段を兼ねる。
【００７４】
スライダ13に連結された摘み部35を筐体３の側面３ｃの外部から長穴36に沿って図17（ｂ）の右方向にスライドすると、該摘み部35と一体的にスライダ13がガイドレール33に係合しつつ図17（ｂ）の右方向に移動する。
【００７５】
すると、図18に示す状態からスライダ13の上面13ｃが支持部材14の下面14ｅに摺動しつつ図17（ｂ）の右方向に移動してスライダ13の傾斜面13ａと支持部材14の傾斜面14ｂとが当接摺動する。そして、支持部材14の傾斜面14ｂがスライダ13の傾斜面13ａに当接摺動しつつ支持部材14は自重と加圧バネ18の付勢力によってガイド部材34に沿って下降する。そして、図17（ｂ）に示すように、支持部材14の一端部側に設けられた段部14ｆの下面14f1が筐体３の底面３ｂ上に当接して原稿台ガラス６から退避した退避位置に設定される。
【００７６】
支持部材14が下降して図17（ｂ）に示す原稿台ガラス６から退避した退避位置にある場合には、イメージセンサ部７の最下端部となる下面７ａが移動する軌跡30よりも下方の位置まで支持部材14が退避する。これによりイメージセンサ部７の移動動作に支障が無いようになっている。原稿台ガラス６を支持する支持部材14はイメージセンサ部７の移動軌跡外である軌跡30よりも下方の退避位置へ移動可能であるので、読み取り動作時に妨げになることがない。他の構成は前記各実施形態と同様に構成され、同様の効果を得ることが出来る。
【００７７】
また、本実施形態のように弾性体14ｄが原稿台ガラス６の下面６ａに、該下面６ａの法線方向（図17の上下方向）で当接する。これにより、前記第４実施形態と同様に、前記第１実施形態と比べて弾性体14ｄをスムーズに原稿台ガラス６の下面６ａに当接させることができ、使用者の負荷を低減することができる。
【００７８】
［第６実施形態］
次に図19〜図25を用いて本発明に係る画像読取装置の第６実施形態の構成について説明する。前記各実施形態では筐体３の側面３ａ，３ｃの外側に支持部材９，14を操作するための摘み部91，35を設けた構成とした。
【００７９】
本実施形態では、画像読取装置２（装置本体）が梱包材28（保護部材）をセットされた状態で輸送される。そして、ユーザが開梱作業時に画像読取装置２から梱包材28を着脱する操作に連動して原稿台ガラス６の筐体３により支持される部位以外で該原稿台ガラス６の下面６ａを支持手段となる支持部材24により支持する。
【００８０】
支持部材24は原稿台ガラス６の下面６ａを支持する支持位置と、該原稿台ガラス６の下面６ａから退避した退避位置とに移動可能に設けられたものである。
【００８１】
更には、梱包材28の着脱操作に連動して拘束手段となる拘束部材23がイメージセンサ部７をホームポジション位置に拘束する拘束位置と、該イメージセンサ部７の拘束を解除した解除位置とに移動可能に設けられたものである。
【００８２】
本実施形態では、拘束部材23と支持部材24とが別体で構成される。拘束部材23がイメージセンサ部７のホームポジション位置の近傍で且つイメージセンサ部７の長尺方向の略中央部に配置される。そして、支持部材24の弾性体25（弾性部）が原稿台ガラス６の下面６ａの略中央部の位置に配置された一例である。
【００８３】
筐体３の底面３ｂの図20に示す左端部のホームポジション位置近傍と、底面３ｂの中央部には、図20及び図21に示すように、ガイド部材45，46が図22及び図23の上下方向にそれぞれ起立して設けられている。ガイド部材45，46は筐体３の底面３ｂを貫通して該筐体３の内外を連通させたガイドレール47，48をそれぞれ形成する断面コ字形状で互いに対向する一対のレール部材からなる。
【００８４】
拘束部材23を昇降可能にガイドするガイド部材45はイメージセンサ部７のホームポジション位置の近傍で且つイメージセンサ部７の長尺方向の略中央部に配置される。そして、支持部材24を昇降可能にガイドするガイド部材46は原稿台ガラス６の下面６ａの略中央部の位置に配置される。
【００８５】
ガイドレール47，48内には該ガイドレール47，48にそれぞれ係合しつつ該ガイドレール47，48に沿って図22及び図23の上下方向に移動可能な断面Ｔ字形状の拘束部材23がガイドレール47に沿って昇降可能に嵌合されている。同じく断面Ｔ字形状の支持部材24がガイドレール48に沿って昇降可能に嵌合されている。
【００８６】
本実施形態では拘束部材23を昇降可能に保持するガイド部材45はイメージセンサ部７のホームポジション位置となる図22及び図23の左端部側に設けられている。また、支持部材24を昇降可能に保持するガイド部材46は原稿台ガラス６の下面６ａの略中央部の位置に設けられている。支持部材24の上部には原稿台ガラス６の下面６ａに当接して該原稿台ガラス６を支持する弾性体25が設けられている。
【００８７】
拘束部材23及び支持部材24のそれぞれの上下方向の中間部にはガイド部材45，46から突出したバネ支持部23ａ，24ａが設けられている。
【００８８】
一方、筐体３の底面３ｂ上には断面Ｚ字形状の各加圧金具16の下片16ｂがビス17によりそれぞれ固定されている。そして、各加圧金具16の上片16ａと、拘束部材23及び支持部材24のそれぞれのバネ支持部23ａ，24ａとの間にコイル状の加圧バネ18がそれぞれ係止されている。
【００８９】
加圧バネ18の弾性力により拘束部材23及び支持部材24は図22及び図23の下方向に常時付勢されている。
【００９０】
筐体３の底面３ｂから外部に突出したガイド部材45，46の下端部には支軸49を中心に回動可能に設けられた断面がＬ字形状のロックアーム26がそれぞれ設けられている。ロックアーム26の側面には支軸49に嵌装された捩じりコイルバネ27が設けられており、該捩じりコイルバネ27の一端部がロックアーム26の側面に設けられた係止部26ａに係止されている。また、捩じりコイルバネ27の他端部はガイド部材45，46の一方の内壁面に当接されている。
【００９１】
捩じりコイルバネ27の弾性力によりロックアーム26は支軸49を中心に図23の時計回り方向に常時付勢されている。そのため、ガイド部材45，46の内壁面の一部に設けた開口部12から、梱包材28を装着した状態では、図23（ａ）及び図24（ａ）に示すように、梱包材28の突出部28ａの壁面にロックアーム26の長片が当接されて静止状態で保持される。
【００９２】
ここで、イメージセンサ部７の拘束状態と原稿台ガラス６の保持を解除する手順を説明する。梱包材28を取り外すと、図23（ｂ）に示すように、ねじりコイルバネ27の付勢力は、加圧バネ18の付勢力によりロックアーム26の上端部26ｂの天面と、拘束部材23の下端部23ｂとの間に生じる摩擦抵抗に対して十分強く設定されている。このため、ガイド部材45の他方の内壁面にロックアーム26の長片が突き当たるまで回動する。
【００９３】
同様に、ねじりコイルバネ27の付勢力は、加圧バネ18の付勢力によりロックアーム26の上端部26ｂの天面と、支持部材24の下端部24ｂとの間に生じる摩擦抵抗に対して十分強く設定されている。このため、ガイド部材46の他方の内壁面にロックアーム26の長片が突き当たるまで回動する。
【００９４】
以上により、拘束部材23及び支持部材24のロックが解除され、各々は、ガイド部材45，46に沿って下降する。上記一連の動作により、イメージセンサ部７の拘束状態と原稿台ガラス６の保持が解除される。
【００９５】
次に、イメージセンサ部７の拘束状態と原稿台ガラス６の保持を行う手順を説明する。図24（ａ），（ｂ）は、図22（ａ），（ｂ）の部分拡大斜視図である。図24中手前の壁は一点鎖線で示し、中の構造が見えるように図示した。同図において、ロックアーム26の長片が当接するガイド部材45，46の内壁面の一部に、開口部12が形成されている。
【００９６】
ガイド部材45の開口部12から不図示の指を挿入し、加圧バネ18の付勢力に抗して拘束部材23をガイド部材45に沿って上昇させる。そして、捩じりコイルバネ27の付勢力に抗して該ロックアーム26を、支軸49を中心に図23（ａ）の反時計回り方向に回動させる。そして、ロックアーム26の上端部26ｂの天面と、拘束部材23の下端部23ｂとが突き当たる位置で指で仮保持する。次に梱包材28を指と入れ替えて開口部12から挿入し、突出部28ａの壁面でロックアーム26をねじりコイルバネ27の付勢力に抗して支持する。
【００９７】
次に、ガイド部材46の開口部12から不図示の指を挿入し、加圧バネ18の付勢力に抗して支持部材24をガイド部材46に沿って上昇させる。そして、捩じりコイルバネ27の付勢力に抗して該ロックアーム26を、支軸49を中心に図23（ａ）の反時計回り方向に回動させる。そして、ロックアーム26の上端部26ｂの天面と、支持部材24の下端部24ｂとが突き当たる位置で指で仮保持する。
【００９８】
次に梱包材28を指と入れ替えて開口部12から挿入し、突出部28ａの壁面でロックアーム26をねじりコイルバネ27の付勢力に抗して支持する。この状態で、ロックアーム26は筐体３の一部として見ることができ、支持部材24の下端部24ｂは支持部材24の筐体３に支持される当接面として機能する。
【００９９】
尚、イメージセンサ部７の拘束状態と原稿台ガラス６の保持を行う際には、予め、イメージセンサ部７のホームポジション位置に移動してから行うことを前提としている。
【０１００】
このように、開梱の時に梱包材28を取り外すだけでイメージセンサ部７と原稿台ガラス６の保持状態が解除出来るためユーザにとって簡便である上、再度梱包可能な構成となっている。
【０１０１】
また、拘束部材23及び支持部材24がそれぞれ下降して図23（ｂ）に示すようにイメージセンサ部７及び原稿台ガラス６から退避した退避位置にある。その場合には、イメージセンサ部７の最下端部となる下面７ａが移動する軌跡30よりも下方の位置まで拘束部材23及び支持部材24が退避する。これによりイメージセンサ部７の移動動作に支障が無いようになっている。
【０１０２】
これによりイメージセンサ部７をホームポジション位置で拘束する拘束部材23と、原稿台ガラス６を支持する支持部材24はイメージセンサ部７の移動軌跡外である軌跡30よりも下方の退避位置へ移動可能であるので、読み取り動作時に妨げになることがない。
【０１０３】
尚、本実施形態では、梱包材28がロックアーム26を規制して間接的にイメージセンサ部７を拘束する拘束部材23と、原稿台ガラス６の下面６ａを支持する支持部材24との昇降操作を行う構成を示した。他にロックアーム26を省略して梱包材28の一部が直接、イメージセンサ部７を拘束する拘束部材23と、原稿台ガラス６の下面６ａを支持する支持部材24とに当接してそれぞれの昇降操作を行う構成としても良い。他の構成は前記各実施形態と同様に構成され、同様の効果を得ることが出来る。
【０１０４】
また、本実施形態によれば、開梱の時に梱包材28を取り外すだけで原稿台ガラス６の保持状態やイメージセンサ部7の拘束状態を解除出来るため、ユーザが梱包材28を取り外すのと別に解除動作を行わずに済むのでユーザビリティが良好となる。
【０１０５】
［第７実施形態］
次に図26〜図30を用いて本発明に係る画像読取装置の第７実施形態の構成について説明する。前記第６実施形態では拘束部材23がイメージセンサ部７のホームポジション位置の近傍で且つイメージセンサ部７の長尺方向の略中央部に配置され、支持部材24の弾性体25が原稿台ガラス６の下面６ａの略中央部の位置に配置される構成とした。
【０１０６】
本実施形態では、図27及び図28に示すように、拘束部材23がイメージセンサ部７のホームポジション位置の近傍で且つ筐体３の側面３ｃの近傍に配置される。そして、支持部材24の弾性体25が原稿台ガラス６の下面６ａの筐体３の側面３ｃの近傍で且つ拘束部材23に近接して配置される構成としたものである。
【０１０７】
筐体３の底面３ｂで側面３ｃの近傍にはガイド部材45，46が図29及び図30の上下方向にそれぞれ起立して設けられている。ガイド部材45，46は筐体３の底面３ｂを貫通して該筐体３の内外を連通させたガイドレール47，48をそれぞれ形成する断面コ字形状で互いに対向する一対のレール部材からなる。
【０１０８】
拘束部材23を昇降可能にガイドするガイド部材45はイメージセンサ部７のホームポジション位置の近傍で且つ筐体３の側面３ｃ近傍に配置される。そして、支持部材24を昇降可能にガイドするガイド部材46は原稿台ガラス６の下面６ａの筐体３の側面３ｃ近傍でガイド部材45に隣接した位置に配置される。
【０１０９】
本実施形態においても画像読取装置２が梱包材28により梱包されて輸送された後、ユーザが開梱作業時に画像読取装置２を梱包する梱包材28の着脱操作に連動して原稿台ガラス６の下面６ａを支持手段となる支持部材24が支持する。支持部材24は原稿台ガラス６の筐体３により支持される部位以外で該原稿台ガラス６の下面６ａを支持する。そして支持部材24は原稿台ガラス６の下面６ａを支持する支持位置と、該原稿台ガラス６の下面６ａから退避した退避位置とに移動可能に設けられる。
【０１１０】
更には、梱包材28の着脱操作に連動して拘束手段となる拘束部材23がイメージセンサ部７をホームポジション位置に拘束する拘束位置と、該イメージセンサ部７の拘束を解除した解除位置とに移動可能に設けられたものである。また、拘束部材23と支持部材24とは別体で構成された一例である。
【０１１１】
梱包材28の突出部28ａはそれぞれのロックアーム26に対応する位置に設けられており、画像読取装置２の底部に梱包材28を取り付けた際に該梱包材28の突出部28ａがそれぞれの開口部12から進入してロックアーム26に当接する。他の構成は前記第６実施形態と同様に構成され、開梱の時に梱包材28を取り外すだけで原稿台ガラス６の保持状態やイメージセンサ部7の拘束状態を解除出来るため、ユーザが梱包材28を取り外すのと別に解除動作を行わずに済むのでユーザビリティが良好となる。
【０１１２】
［第８実施形態］
次に図31及び図32を用いて本発明に係る画像読取装置の第８実施形態の構成について説明する。本実施形態では、原稿台ガラス６の筐体３により支持される部位以外で該原稿台ガラス６の下面６ａに当接して該原稿台ガラス６を支持する支持手段となる支持部材41がイメージセンサ部７の移動に連動して移動する構成としたものである。支持部材41は原稿台ガラス６の下面６ａとの間に所定の離間距離を持って移動可能に設けられている。尚、前記各実施形態と同様に構成されたものは同一の符号を付して説明を省略する。
【０１１３】
イメージセンサ部７は図31及び図32に示す原稿台ガラス６の左端部位置から、原稿台ガラス６上に載置された原稿の大きさに応じた読取動作位置までを、図31（ｂ）の矢印ｅ方向に移動可能に構成されている。
【０１１４】
イメージセンサ部７は図示しないモータ等の駆動手段によって移動する。図31及び図32に示す原稿台ガラス６の左端部位置はイメージセンサ部７のホームポジション位置となる。
【０１１５】
本実施形態の支持部材41は、筐体３の底面３ｂと、原稿台ガラス６の下面６ａとの離間距離に対応した高さを有する円柱状或いは円筒状で構成されている。そして、その上部に原稿台ガラス６の下面６ａに当接して該原稿台ガラス６を支持する弾性体41ａ（弾性部）が設けられている。支持部材14はイメージセンサ部７と一体的に固定されており、該イメージセンサ部７の移動に連動して移動する。
【０１１６】
図32（ｂ）に示すように、イメージセンサ部７の上面７ｂと、原稿台ガラス６の下面６ａとは離間距離ａで対向している。これに対して、支持部材41の弾性体41ａの上面41a1と、原稿台ガラス６の下面６ａとは前記離間距離ａよりも小さな離間距離ｂを持って原稿台ガラス６と対向している。
【０１１７】
画像読取装置２の移送時は、図31に示すように、イメージセンサ部７が原稿台ガラス６の略中央部位置に移動した状態で固定され、該イメージセンサ部７に一体的に固定された支持部材41が原稿台ガラス６の下面６ａを該原稿台ガラス６の略中央部で支持する。
【０１１８】
図32（ａ）に示す断面図中の円弧の破線は、原稿台ガラス６が破損しない限界形状の概略であり、図中ｄにてそのときの最大撓み量を示した。原稿台ガラス６が破損しない限界形状の最大撓み量ｄよりも支持部材41の弾性体41ａの上面41a1と、原稿台ガラス６の下面６ａとの離間距離ｂを小さくすれば、原稿台ガラス６は破損前に支持部材41で支えられることになる。
【０１１９】
よって、図31及び図32（ａ）に示すように、イメージセンサ部７が原稿台ガラス６の略中央部位置に移動した状態で固定される。そして、該イメージセンサ部７に一体的に固定された支持部材41が原稿台ガラス６の下面６ａを該原稿台ガラス６の略中央部で支持し得る状態で画像読取装置２の移送を行う。そうすれば、原稿台ガラス６を筐体３の内部側から支えた状態となり、移送時の振動や衝撃に対して原稿台ガラス６の内側への撓みが無くなり保持状態が良好である。
【０１２０】
本実施形態では、支持部材14がイメージセンサ部７に一体的に固定された。これにより原稿台ガラス６が筐体３の内部側に撓んでもイメージセンサ部７の上面７ｂと原稿台ガラス６の下面６ａとの離間距離ａが、支持部材41の弾性体41ａの上面41a1と原稿台ガラス６の下面６ａとの離間距離ｂよりも大きい。そうすれば、原稿台ガラス６の下面６ａがイメージセンサ部７に接触する前に該原稿台ガラス６の下面６ａが支持部材41の弾性体41ａの上面41a1に当接して支持される。よって、原稿台ガラス６が筐体３の内部側に撓んでも、原稿台ガラス６がイメージセンサ部７に接触することはない。
【０１２１】
また、イメージセンサ部７の上面７ｂと原稿台ガラス６の下面６ａとの離間距離ａと、支持部材41の弾性体41ａの上面41a1と原稿台ガラス６の下面６ａとの離間距離ｂとの関係が｛ａ＞ｂ＞０｝となるように設定する。これによりイメージセンサ部７が読み取り動作で図31（ｂ）の矢印ｅ方向に移動する際に、原稿台ガラス６の下面６ａと、支持部材41の弾性体41ａの上面41a1とが擦れて傷つくことがない。
【０１２２】
支持部材41の下面41ｂは、該支持部材41の筐体３に支持される当接面として機能する。また、支持部材41の下面41ｂは、筐体３の底面３ｂに対して、距離０mmで接する場合だけでなく、所定の離間距離ｃを持って移動可能としても良い。このとき、イメージセンサ部７の上面７ｂと前記離間距離ａ、離間距離ｂ、支持部材41の下面41ｂと筐体３の底面３ｂとの離間距離ｃ、の関係は｛ａ＞ｂ＋ｃ＞０｝とすることが条件となる。
【０１２３】
その条件下で、原稿台ガラス６が筐体３の内部側に撓んで支持部材41により原稿台ガラス６の下面６ａを支持した状態では、原稿台ガラス６の下面６ａが支持部材41の弾性体41ａの上面41a1に当接する。更に、イメージセンサ部７が撓むことで該支持部材41が下降して該支持部材41の下面41ｂが筐体３の底面３ｂに当接する。また、支持部材41の位置における原稿台ガラス６の最大撓み量ｄとの関係は、ｂ＋ｃ＜ｄであれば、原稿台ガラス６の破損を防ぐことができる。尚、本実施形態で説明したケースは、離間距離ｃ＝０の場合であるが、離間距離ｃ＞０であっても良い。
【０１２４】
原稿台ガラス６が筐体３の内部側に撓んで原稿台ガラス６の下面６ａが支持部材41の上部に設けられた弾性体41ａに当接する。これにより原稿台ガラス６の下面６ａが支持部材41と接触する際の衝撃を弾性体41ａの弾性により吸収出来るので、原稿台ガラス６の保護に関して、より効果的である。
【０１２５】
以上示したように、画像読取装置２が移送時に衝撃を受けたときや画像読取動作時に原稿台ガラス６が外力を受けて筐体３の内部側に撓んだときに支持部材41により原稿台ガラス６の下面６ａを支持する。つまり、原稿台ガラス６を撓ませる力は支持部材41を介して筐体３の底面３ｂに伝わる構成となっている。これにより該原稿台ガラス６とイメージセンサ部７とを保護することが出来る。
【０１２６】
尚、支持部材41の数量や原稿台ガラス６の下面６ａに当接する当接面積は、原稿台ガラス６の面積や厚みに応じて適宜設定することが出来る。
【０１２７】
画像読取装置２の移送時（画像読取装置２の非読取動作時）には、図31及び図32（ａ）に示すように、イメージセンサ部７は、原稿台ガラス６の略中央部近傍位置に移動させてある。
【０１２８】
これにより、例えば、ユーザが画像読取装置２或いは画像形成装置１の電源をＯＮするタイミングで自動的にイメージセンサ部７が図31及び図32に示す原稿台ガラス６の左端部位置に戻るシーケンスを施す。イメージセンサ部７は図示しないモータ等の駆動手段によって移動する。図31及び図32に示す原稿台ガラス６の左端部位置はイメージセンサ部７のホームポジション位置となる。これによりユーザの利便性を増すことが出来る。
【０１２９】
このように、本実施形態では、イメージセンサ部７と連動して移動するよう支持部材41を設け、この支持部材41によって、原稿台ガラス６を撓ませる力を受けて直接、筐体３に力を伝達する構成とした。これによりイメージセンサ部７を動作（移動）させるために、支持部材41を別途移動させる必要がなく、原稿台ガラス６の支持構成を簡易でシンプルなものとすることができる。また、支持部材41によって、原稿台ガラス６を撓ませる力を受けて直接、筐体３に力を伝達する構成とすることで、原稿台ガラス６を撓ませる力がイメージセンサ部７へ伝達される割合を低減させることができる。
【０１３０】
［第９実施形態］
次に図33及び図34を用いて本発明に係る画像読取装置の第９実施形態の構成について説明する。前記第８実施形態では、原稿台ガラス６の筐体３により支持される部位以外で該原稿台ガラス６の下面６ａに当接して該原稿台ガラス６を支持する支持手段となる支持部材41をイメージセンサ部７に一体的に設けて構成したものである。
【０１３１】
本実施形態では、支持部材41が、イメージセンサ部７とは別体で、原稿台ガラス６の下面６ａの法線方向（図34の上下方向）に関して独立して移動可能に設けた。そして、原稿台ガラス６の下面６ａに平行な方向に関しては該イメージセンサ部７の移動に追従して該支持部材41が移動するように構成されたものである。尚、前記各実施形態と同様に構成されたものは同一の符号を付して説明を省略する。
【０１３２】
支持部材41は筐体３の底面３ｂの角隅部に設けられた回動軸43を中心に回動可能に設けられたアーム42の先端部に固定されている。回動軸43には捩じりコイルバネ44が嵌装されており、該捩じりコイルバネ44の一端が筐体３の側面３ａの内壁面に当接され、他端がアーム42に係止されている。
【０１３３】
アーム42は捩じりコイルバネ44の弾性力により回動軸43を中心に図33（ｂ）の時計回り方向に常時付勢されている。そして、支持部材41がイメージセンサ部７の図33（ｂ）の左側の側面７ｄに当接した状態で該イメージセンサ部７の移動に追従して原稿台ガラス６の下面６ａに平行な方向に移動する。支持部材41が原稿台ガラス６の略中央部近傍位置まで移動すると、捩じりコイルバネ44はバネ全開で弾性力が作用しなくなる図33（ｂ）に示す自然状態に遷移し、支持部材41はそれ以上は移動しないで静止する。
【０１３４】
イメージセンサ部７が図33（ｂ）に示す位置から図33（ｂ）に示す左方向に移動する。すると、該イメージセンサ部７の図33（ｂ）の左側の側面７ｄが支持部材41に当接する。そして、捩じりコイルバネ44の付勢力に抗してアーム42を回動軸43を中心に図33（ｂ）の反時計回り方向に回動させる。支持部材41は該イメージセンサ部７の図33（ｂ）の左側の側面７ｄに当接摺動しながらアーム42を半径とした円弧状に移動する。そして、イメージセンサ部７がホームポジション位置となる図33（ｂ）に示す原稿台ガラス６の左端部位置に戻る。すると、支持部材41は該イメージセンサ部７の移動に追従して筐体３の側面３ａの近傍位置まで戻る。
【０１３５】
図33（ｂ）に示すように、イメージセンサ部７が原稿台ガラス６の略中央部位置に移動した状態で固定される。そして、該イメージセンサ部７に追従する支持部材41が原稿台ガラス６の下面６ａを該原稿台ガラス６の略中央部で支持し得る状態で画像読取装置２の移送を行う。そうすれば、原稿台ガラス６を筐体３の内部側から支えた状態となる。これにより移送時の振動や衝撃に対して原稿台ガラス６の内側への撓みを低減した状態となり、保持状態が良好である。
【０１３６】
つまり、原稿台ガラス６を撓ませる力は支持部材41を介して筐体３の底面３ｂに伝わる構成となっている。また、このとき、支持部材41は原稿台ガラス６の下面６ａの法線方向（図34の上下方向）に関してイメージセンサ部７とは独立して動けるようになっている。ここれにより原稿台ガラス６とイメージセンサ部７とを保護することが出来る。
【０１３７】
尚、本実施形態では捩じりコイルバネ44によりアーム42に常時付勢力を与える構成としたが、コイルバネ等の他の弾性体で置き換えることでも良いし、それら弾性体の配置場所を他の位置に変更しても良い。
【０１３８】
また、アーム42や支持部材41は、原稿台ガラス６の面積や厚みに応じて、数量を適宜増やしても良い。また、アーム42や支持部材41の移動方法についても本実施形態に限定されるものではなく、他の種々の移動方法を用いることが出来る。他の構成は前記第８実施形態と同様に構成され、イメージセンサ部７と連動して移動するよう支持部材41を設け、この支持部材41によって、原稿台ガラス６を撓ませる力を受けて直接、筐体３に力を伝達する構成とした。これによりイメージセンサ部７を動作（移動）させるために、支持部材41を別途移動させる必要がなく、原稿台ガラス６の支持構成を簡易でシンプルなものとすることができる。
【０１３９】
また、原稿台ガラス６の下面６ａの法線方向（図34の上下方向）に関してイメージセンサ部７とは独立して動ける支持部材41によって、原稿台ガラス６を撓ませる力を受けて直接、筐体３に力を伝達する構成とする。これにより、原稿台ガラス６を撓ませる力がイメージセンサ部７へ伝達されることを前記第９実施形態に比べてより低減することができる。
【０１４０】
［第１０実施形態］
次に図35及び図36を用いて本発明に係る画像読取装置の第１０実施形態の構成について説明する。本実施形態では、原稿台ガラス６の筐体３により支持される部位以外で該原稿台ガラス６の下面６ａに当接して該原稿台ガラス６を支持する支持手段となる板状の支持部材52を有する。
【０１４１】
そして、支持部材52は筐体３の底面３ｂと原稿台ガラス６の下面６ａとの間で折り畳み自在（屈曲自在）に構成される信号線束51（屈曲部）の長尺方向の略中央部に設けられている。信号線束51はイメージセンサ部７と画像読取装置２の図示しないコントロール部とを接続して入出力信号を伝送する。イメージセンサ部７の移動に連動して伸縮する信号線束51と共に支持部材52が移動する。
【０１４２】
図35及び図36において、51はイメージセンサ部７の入出力信号を伝送する信号束線である。52は原稿台ガラス６の下面６ａを支持するための板状の支持部材である。支持部材52の上部には弾性体52ａ（弾性部）が設けられている。信号線束51は蛇腹状に折りたたみ（屈曲）自在であり、折りたたむ方向の中央近傍にて支持部材52と接続されている。信号線束51は一端がイメージセンサ部７に接続され、他端が筐体３内に設けられる図示しないコントロール部に接続されている。
【０１４３】
図36（ｂ）に示すように、イメージセンサ部７の上面７ｂと原稿台ガラス６の下面６ａとの離間距離ａと、支持部材52の弾性体52ａの上面52a1と原稿台ガラス６の下面６ａとの離間距離ｂとの関係は、ａ＞ｂである。
【０１４４】
イメージセンサ部７の移動に伴って伸縮する信号線束51と共に支持部材52は筐体３の底面３ｂと原稿台ガラス６の下面６ａとの間を起立したままの状態で浮遊して移動する。支持部材52は原稿台ガラス６の下面６ａとの間に所定の離間距離ｂを持って移動可能に設けられている。
【０１４５】
原稿台ガラス６が図36（ｂ）の矢印Ｆ方向の力を受けたときにのみ原稿台ガラス６の下面６ａが支持部材52の弾性体52ａに当接して該支持部材52が下降する。そして、該支持部材52の下面52ｂが筐体３の底面３ｂに当接して原稿台ガラス６の下面６ａが支持部材52により支持される。
【０１４６】
そのため、原稿台ガラス６は図36（ｂ）の矢印Ｆ方向の力が加わったときに筐体３の底面３ｂに当接した支持部材52により支持され、且つ、イメージセンサ部７と原稿台ガラス６とが接触することはない。つまり、原稿台ガラス６を撓ませる力は支持部材52を介して筐体３の底面３ｂに伝わる構成となっている。また、このとき、支持部材52は原稿台ガラス６の下面６ａの法線方向（図36（ｂ）の上下方向）に関してイメージセンサ部７とは独立して動けるようになっている。ここれにより原稿台ガラス６とイメージセンサ部７とを保護することが出来る。
【０１４７】
本実施形態では、信号線束51に対して板状の支持部材52を１個だけ接続した例を示したが、複数以上配置しても良い。他の構成は、前記各実施形態と同様に構成され、同様の効果を得ることが出来る。
【０１４８】
また、イメージセンサ部７と連動して移動するよう支持部材52を設け、この支持部材52によって、原稿台ガラス６を撓ませる力を受けて直接、筐体３に力を伝達する構成とした。これによりイメージセンサ部７を動作（移動）させるために、支持部材52を別途移動させる必要がなく、原稿台ガラス６の支持構成を簡易でシンプルなものとすることができる。
【０１４９】
また、原稿台ガラス６の下面６ａの法線方向（図36（ｂ）の上下方向）に関してイメージセンサ部７とは独立して動ける支持部材52によって、原稿台ガラス６を撓ませる力を受けて直接、筐体３に力を伝達する構成とする。これにより、原稿台ガラス６を撓ませる力がイメージセンサ部７へ伝達されることを前記第９実施形態に比べてより低減することができる。
【０１５０】
［第１１実施形態］
次に図37を用いて本発明に係る画像読取装置の第１１実施形態の構成について説明する。本実施形態でもイメージセンサ部７の移動に連動して原稿台ガラス６の筐体３により支持される部位以外で該原稿台ガラス６の下面６ａに当接して該原稿台ガラス６を支持する支持手段となる支持部材61が移動する。また、支持部材61は原稿台ガラス６の下面６ａとの間に所定の離間距離を持って移動可能に設けられる。
【０１５１】
支持部材61は複数の板状部材（屈曲部）を蛇腹状に繋げ合わせて筐体３の底面３ｂと、原稿台ガラス６の下面６ａとの間で折り畳み自在（屈曲自在）に構成されている。そして、複数の板状部材のそれぞれが、原稿台ガラス６に対して鉛直方向に起立した状態で配置されている。支持部材61の一端部はイメージセンサ部７に連結されており、他端部は筐体３の図37（ｂ）の右側の側面３ｄの内壁面に連結されている。イメージセンサ部７が移動することにより支持部材61が伸縮する。支持部材61は筐体３の底面３ｂと原稿台ガラス６の下面６ａとの間を起立したままの状態で浮遊して移動する。支持部材61は原稿台ガラス６の下面６ａとの間に所定の離間距離を持って移動可能に設けられている。
【０１５２】
本実施形態では、画像読取装置２が移送時に衝撃を受けたときや画像読取動作時に原稿台ガラス６が外力を受けて筐体３の内部側に撓んだときがある。そのときに原稿台ガラス６の下面６ａが支持部材61の上部に設けられた弾性体61ａ（弾性部）に当接して該支持部材52が下降する。
【０１５３】
そして、該支持部材52の下面52ｂが筐体３の底面３ｂに当接して原稿台ガラス６の下面６ａが支持部材61により支持される。
【０１５４】
そのため、原稿台ガラス６は外力を受けて筐体３の内部側に撓んだときに筐体３の底面３ｂに当接した支持部材61により支持され、且つ、イメージセンサ部７と原稿台ガラス６とが接触することはない。本実施形態の支持部材61は構造的に座屈し難い。よって、折り畳み自在に構成される支持部材61をイメージセンサ部７に接続された信号線束が兼ねる構成とすることも出来る。
【０１５５】
信号線束からなる支持部材61は一端がイメージセンサ部７に接続され、他端が筐体３内に設けられる図示しないコントロール部に接続される。支持部材61を構成する信号線束はイメージセンサ部７と画像読取装置２の図示しないコントロール部とを接続して入出力信号を伝送する。
【０１５６】
尚、原稿台ガラス６の下面６ａを支持する支持部材61は、イメージセンサ部７に追従して折り畳み自在に伸縮する構成であれば良く、扇形等の他、いかなる伸縮軌跡を描く配置としても良い。
【０１５７】
このように、本実施形態では、イメージセンサ部７と連動して移動するよう支持部材61を設け、この支持部材61によって、原稿台ガラス６を撓ませる力を受けて直接、筐体３に力を伝達する構成とした。これによりイメージセンサ部７を動作（移動）させるために、支持部材61を別途移動させる必要がなく、原稿台ガラス６の支持構成を簡易でシンプルなものとすることができる。また、支持部材61によって、原稿台ガラス６を撓ませる力を受けて直接、筐体３に力を伝達する構成とすることで、原稿台ガラス６を撓ませる力がイメージセンサ部７へ伝達される割合を低減させることができる。
【０１５８】
［第１２実施形態］
次に図38及び図39を用いて本発明に係る画像読取装置の第１２実施形態の構成について説明する。本実施形態では、原稿台ガラス６の筐体３により支持される部位以外で該原稿台ガラス６の下面６ａに当接して該原稿台ガラス６を支持可能な支持手段となる回転移動可能な回転体としてのローラ71ａ，71ｂを有する。
【０１５９】
そして、ローラ71ａ，71ｂが筐体３の底面３ｂ上を転動しながらイメージセンサ部７の移動に連動して移動する。ローラ71ａ，71ｂは原稿台ガラス６の下面６ａとの間に所定の離間距離ｂを持ってイメージセンサ部７の移動方向へ回転移動自在な回転体で構成され、該ローラ71ａ，71ｂの少なくとも表層が弾性体で構成される。
【０１６０】
ローラ71ａ，71ｂは、原稿台ガラス６の下面６ａとの間に所定の離間距離ｂを保ち、且つ、イメージセンサ部７のとの離間距離も一定に保ったまま図示しないモータ等の駆動源によって図39（ａ）の矢印ｅ方向へ走行移動する。ローラ71ａ，71ｂは弾性体で構成される。このため原稿台ガラス６の下面６ａとの離間距離ｂを「ｂ＝０」としても、ローラ71ａ，71ｂの表面が該原稿台ガラス６の下面６ａの表面を摺動した際に、該原稿台ガラス６の下面６ａの表面を傷つける恐れが無い。
【０１６１】
よって、ローラ71ａ，71ｂにより常時積極的に原稿台ガラス６の下面６ａを支持しつつ、イメージセンサ部７に追従して走行移動することが可能となる。また、ローラ71ａ，71ｂの下部は筐体３の底面３ｂと当接する当接面として機能し、原稿台ガラス６からの力を筐体３に伝達する。このため、より積極的に原稿台ガラス６の下面６ａを支持することが出来る。画像読取装置２の移送時に図39（ａ）中の線Ｅ近傍をイメージセンサ部７のホームポジション位置とすることで原稿台ガラス６の下面６ａの中央部付近を確実に支持することが出来る。他の構成は前記各実施形態と同様に構成され、同様の効果を得ることが出来る。
【符号の説明】
【０１６２】
２    …画像読取装置（装置本体）
３ …筐体
６    …原稿台ガラス（載置部材；透過部材）
６ｂ  …外周縁部
７ …イメージセンサ部（読取部）
９ …支持部材（支持手段；拘束手段）
95ａ  …当接部
【図１】
2013066169.tif 000003
【図２】
2013066169.tif 000004
【図３】
2013066169.tif 000005
【図４】
2013066169.tif 000006
【図５】
2013066169.tif 000007
【図６】
2013066169.tif 000008
【図７】
2013066169.tif 000009
【図８】
2013066169.tif 000010
【図９】
2013066169.tif 000011
【図１０】
2013066169.tif 000012
【図１１】
2013066169.tif 000013
【図１２】
2013066169.tif 000014
【図１３】
2013066169.tif 000015
【図１４】
2013066169.tif 000016
【図１５】
2013066169.tif 000017
【図１６】
2013066169.tif 000018
【図１７】
2013066169.tif 000019
【図１８】
2013066169.tif 000020
【図１９】
2013066169.tif 000021
【図２０】
2013066169.tif 000022
【図２１】
2013066169.tif 000023
【図２２】
2013066169.tif 000024
【図２３】
2013066169.tif 000025
【図２４】
2013066169.tif 000026
【図２５】
2013066169.tif 000027
【図２６】
2013066169.tif 000028
【図２７】
2013066169.tif 000029
【図２８】
2013066169.tif 000030
【図２９】
2013066169.tif 000031
【図３０】
2013066169.tif 000032
【図３１】
2013066169.tif 000033
【図３２】
2013066169.tif 000034
【図３３】
2013066169.tif 000035
【図３４】
2013066169.tif 000036
【図３５】
2013066169.tif 000037
【図３６】
2013066169.tif 000038
【図３７】
2013066169.tif 000039
【図３８】
2013066169.tif 000040
【図３９】
2013066169.tif 000041
【図４０】
2013066169.tif 000042